(57)【特許請求の範囲】
【請求項１】
精神疾患の患者の看護者が上記患者及び上記看護者に関する情報を記録するために用いられる看護記録可視化システムであって、
少なくとも、上記患者の休息量を測る指標、上記患者の社会性を測る指標、上記患者の活動量を測る指標、上記患者の定期的な食事量を測る指標、上記患者の定期的な食事以外の食事量を測る指標及び上記患者の衛生活動の量を測る指標を上記看護者が入力するための第一入力画面と、
少なくとも、一日の良かった出来事についての情報、上記一日の悪かった出来事についての情報及び今後に活かせることができる情報を上記看護者が入力するための第二入力画面と、
上記患者の気分を測る指標を上記看護者が入力するための第三入力画面と、
上記看護者による上記患者の看護に対するがんばりを表す指標を上記看護者が入力するための第四入力画面と、
を表示する入力画面表示部と、
上記第一入力画面、上記第二入力画面及び上記第三入力画面から入力を受け付ける第一入力部と、
上位入力された指標及び情報を日付と対応付けて記憶する記憶部と、
上記記憶部から読み込んだ日付と、上記日付に対応する天気と、上記記憶部から読み込んだ上記患者の気分を測る指標及び上記患者の看護に対するがんばりを表す指標の推移と、上記記憶部から読み込んだ、上記推移に関する指標以外の上記日付に対応付けられた指標と、を関連付けて複数日分を表示する記録結果表示部と、
日付の入力を受け付ける第二入力部と、を含み、
上記記録結果表示部は、上記表示をした後に、更に上記第二入力部が日付の入力を受け付けた場合に、上記記憶部から読み込んだ当該日付に対応付けられた情報を、上記表示に重畳して表示する、
看護記録可視化システム。
【請求項２】
精神疾患の患者の看護者により記録される上記患者及び上記看護者に関する情報を表示する看護記録可視化方法であって、
第一入力部が、少なくとも、上記患者の休息量を測る指標と、上記患者の社会性を測る指標と、上記患者の活動量を測る指標と、上記患者の定期的な食事量を測る指標と、上記患者の定期的な食事以外の食事量を測る指標と、上記患者の衛生活動の量を測る指標と、一日の良かった出来事についての情報と、上記一日の悪かった出来事についての情報と、今後に活かせることができる情報と、上記患者の気分を測る指標と、上記看護者による上記患者の看護に対するがんばりを表す指標とについての上記看護者による入力を受け付ける第一入力ステップと、
記憶部が、上記入力された指標及び情報を日付と対応付けて記憶する記憶ステップと、
表示装置が、上記記憶部から読み込んだ日付と、上記日付に対応する天気と、上記記憶部から読み込んだ上記患者の気分を測る指標及び上記患者の看護に対するがんばりを表す指標の推移と、上記記憶部から読み込んだ、上記推移に関する指標以外の上記日付に対応付けられた指標と、を関連付けて複数日分を表示する第一表示ステップと、
第二入力部が、日付の入力を受け付ける第二入力ステップと、
上記表示装置が、上記表示をした後に、更に上記第二入力部が日付の入力を受け付けた場合に、上記記憶部から読み込んだ当該日付に対応付けられた情報を、上記表示に重畳して表示する第二表示ステップと、
を含む看護記録可視化方法。
【発明の詳細な説明】
【技術分野】
【０００１】
この発明は、看護者が看護記録を付ける際に用いられる技術に関する。
【背景技術】
【０００２】
患者が自身の健康状態を管理するための記録ツールが知られている。また、患者ではなくその家族が患者の健康状態を記録することについて非特許文献１に記載がある（例えば、非特許文献１参照。）。非特許文献１では、健康状態のデータを正確に記録するために、センサー等を用いて記録を自動化することが推奨されている。
【先行技術文献】
【非特許文献】
【０００３】
【非特許文献１】I Li, AK Dey, J Forlizzi, " Understanding my data, myself: supporting self-reflection with ubicomp technologies ", Proceedings of the 13th international conference on Ubiquitous computing, 2011, p405-414.
【発明の概要】
【発明が解決しようとする課題】
【０００４】
しかしながら、家族が患者の健康状態を自動的に記録すると、家族と患者との間のコミュニケーションが減少し、家族と患者との間の人間関係が悪化することがある。
【０００５】
この発明は、例えば家族である看護者と患者との間の人間関係を保ちながら看護記録をつける際に用いられる看護記録可視化システム及び方法を提供することである。
【課題を解決するための手段】
【０００６】
この発明の一態様による看護記録可視化システムは、精神疾患の患者の看護者が患者及び看護者に関する情報を記録するために用いられる表示装置であって、少なくとも、患者の休息量を測る指標、患者の社会性を測る指標、患者の活動量を測る指標、患者の定期的な食事量を測る指標、患者の定期的な食事以外の食事量を測る指標及び患者の衛生活動の量を測る指標を看護者が入力するための第一入力画面と、少なくとも、一日の良かった出来事についての情報、一日の悪かった出来事についての情報及び今後に活かせることができる情報を看護者が入力するための第二入力画面と、患者の気分を測る指標を看護者が入力するための第三入力画面と、看護者による患者の看護に対するがんばりを表す指標を看護者が入力するための第四入力画面と、を表示する入力画面表示部と、第一入力画面、第二入力画面及び第三入力画面から入力を受け付ける第一入力部と、上位入力された指標及び情報を日付と対応付けて記憶する記憶部と、記憶部から読み込んだ日付と、日付に対応する天気と、記憶部から読み込んだ患者の気分を測る指標及び患者の看護に対するがんばりを表す指標の推移と、記憶部から読み込んだ、推移に関する指標以外の日付に対応付けられた指標と、を関連付けて複数日分を表示する記録結果表示部と、日付の入力を受け付ける第二入力部と、を含み、記録結果表示部は、表示をした後に、更に第二入力部が日付の入力を受け付けた場合に、記憶部から読み込んだ当該日付に対応付けられた情報を、表示に重畳して表示する。  
【０００８】
この発明の一態様による看護記録可視化方法は、精神疾患の患者の看護者により記録される患者及び看護者に関する情報を表示する看護記録可視化方法であって、第一入力部が、少なくとも、患者の休息量を測る指標と、患者の社会性を測る指標と、患者の活動量を測る指標と、患者の定期的な食事量を測る指標と、患者の定期的な食事以外の食事量を測る指標と、患者の衛生活動の量を測る指標と、一日の良かった出来事についての情報と、一日の悪かった出来事についての情報と、今後に活かせることができる情報と、患者の気分を測る指標と、看護者による患者の看護に対するがんばりを表す指標とについての看護者による入力を受け付ける第一入力ステップと、記憶部が、入力された指標及び情報を日付と対応付けて記憶する記憶ステップと、表示装置が、記憶部から読み込んだ日付と、記憶部から読み込んだ日付に対応付けられた指標と、日付に対応する天気と、記憶部から読み込んだ患者の気分を測る指標及び患者の看護に対するがんばりを表す指標の推移と、を関連付けて複数日分を表示する第一表示ステップと、第二入力部が、日付の入力を受け付ける第二入力ステップと、表示装置が、表示をした後に、更に第二入力部が日付の入力を受け付けた場合に、記憶部から読み込んだ当該日付に対応付けられた情報を、表示に重畳して表示する第二表示ステップと、を備えている。
【発明の効果】
【０００９】
看護者と患者との間の人間関係を保ちながら看護記録をつけることができる。
【図面の簡単な説明】
【００１０】
【図１】看護記録可視化システムの例を説明するためのブロック図。
【図２】看護記録可視化方法の例を説明するための流れ図。
【図３】表示装置により表示されるインターフェースの例を示す図。
【図４】表示装置により表示されるインターフェースの例を示す図。
【図５】表示装置により表示されるインターフェース（第一入力画面）の例を示す図。
【図６】表示装置により表示されるインターフェースの例を示す図。
【図７】表示装置により表示されるインターフェースの例を示す図。
【図８】表示装置により表示されるインターフェース（第二入力画面）の例を示す図。
【図９】表示装置により表示されるインターフェース（第三入力画面）の例を示す図。
【図１０】表示装置により表示されるインターフェースの例を示す図。
【図１１】表示装置により表示されるインターフェースの例を示す図。
【発明を実施するための形態】
【００１１】
以下、図面を参照して、看護記録可視化システム、表示装置、データ構造及び看護記録可視化方法の一実施形態について説明する。看護記録可視化システム、表示装置、データ構造及び看護記録可視化方法は、看護者が患者及び看護者に関する情報を記録するために用いられる。患者は、例えばうつ病等の精神疾患の患者である。看護者は、例えばその患者の家族である。もちろん、看護者は、例えば医師、看護師等の家族以外の者であってもよい。
【００１２】
看護記録可視化システムは、端末１及びサーバー２を備えている。図１の例では、簡略化のため、１個の端末１のみが記載されているが、複数の異なる端末１があってもよい。
【００１３】
看護記録可視化方法は、例えば図２に示す、入力のステップＳ１、記憶のステップＳ２及び表示のステップＳ３の３個のステップの処理により例えば実現される。
【００１４】
端末１は、携帯電話、スマートフォン、タブレット端末、ＰＣ等の情報端末である。端末１は、インターネット等のネットワークでサーバー２に接続されており、端末１とサーバー２との間でデータの送受信が可能である。
【００１５】
端末１は、液晶ディスプレイ、有機ＥＬディスプレイ及びＣＲＴ等のディスプレイである表示装置１１を備えている。表示装置１１は、サーバー２の記憶部２１から読み込んだ、各期間における、患者の休息量を測る指標（例えば、睡眠）と、患者の社会性を測る指標（例えば、会話）と、患者の活動量を測る指標（例えば、外出）と、患者の定期的な食事量を測る指標（例えば、朝食、昼食、夕食）と、患者の定期的な食事以外の食事量を測る指標（例えば、間食、夜食）と、患者の衛生活動の量を測る指標（例えば、入浴）と、一日の良かった出来事についての情報と、一日の悪かった出来事についての情報と、今後に活かせることができる情報と、看護者による患者の看護に対する取り組みを表す指標との少なくとも１個を例えば表示する（ステップＳ３）。
【００１６】
ステップＳ３における表示処理は、図１０及び図１１に例示する画面で例えば行われる。
【００１７】
また、端末１は、タッチパネル、キーボード及びマウス等の入力装置である入力部１２を備えている。入力部１２は、例えば、各期間における、患者の休息量を測る指標と、患者の社会性を測る指標と、患者の活動量を測る指標と、患者の定期的な食事量を測る指標と、患者の定期的な食事以外の食事量を測る指標と、患者の衛生活動の量を測る指標と、一日の良かった出来事についての情報と、一日の悪かった出来事についての情報と、今後に活かせることができる情報と、看護者による患者の看護に対する取り組みを表す指標との少なくとも１個についての看護者による入力を例えば受け付ける（ステップＳ１）。
【００１８】
ステップＳ１における入力処理は、図５に例示する第一入力画面、図８に例示する第二入力画面、図９に例示する第三入力画面で例えば行われる。
【００１９】
サーバー２は、端末１に看護記録可視化サービスを提供するコンピュータである。サーバー２は、記憶部２１を備えている。記憶部２１には、入力部１２で入力された、患者の休息量を測る指標と、患者の社会性を測る指標と、患者の活動量を測る指標と、患者の定期的な食事量を測る指標と、患者の定期的な食事以外の食事量を測る指標と、患者の衛生活動の量を測る指標と、一日の良かった出来事についての情報と、一日の悪かった出来事についての情報と、今後に活かせることができる情報と、看護者による患者の看護に対する取り組みを表す指標との少なくとも１個から例えば構成されるデータ構造が記憶される（ステップＳ２）。
【００２０】
ステップＳ２における記憶処理は、図５に例示する第一入力画面で「保存して次へ」のボタンをクリックしたとき、図８に例示する第二入力画面で「保存して次へ」のボタンをクリックしたとき、図９に例示する第三入力画面で「保存して終了」のボタンをクリックしたときに行われる。
【００２１】
端末１の表示装置１１には、図３から図１１のユーザーインターフェースが表示される。これらのユーザーインターフェースのそれぞれを以下に説明する。図３から図１１で例示するユーザーインターフェースにおける入力、選択、クリック、タッチ及びキーボード入力等の操作は、端末１の入力部１２を用いて看護者により行われる。
【００２２】
＜図３の入力画面について＞
看護者は、看護記録可視化システムを利用するために、看護記録可視化システムにログインする。図３は、そのログイン画面の例である。
【００２３】
看護者は、ＩＤであるニックネーム及びパスワードを入力し、ログインのボタンをクリックする。入力されたニックネーム及びパスワードは、サーバー２に送信される。サーバー２は受信したニックネーム及びパスワードが事前に登録されたものであるかどうかを確認し、事前に登録されたものである場合にはログインを許可する。
【００２４】
＜図４の入力画面について＞
ログインが許可された場合には、表示装置１１には、図４の表示がされる。図４は、
ユーザである看護者のプロフィール及び患者の状況を入力するための入力画面の例である。
【００２５】
図４の例では、「性別」の項目において看護者の性別、「自分の職業」の項目において看護者の職業、「患者さんはあなたの」の項目において看護者と患者との関係、「患者さんの今の状況」の項目において患者の現在の状況を入力することができる。図４の例では、各項目はプルダウンメニューとなっており、このプルダウンメニューの中から適切な情報を選択することができる。
【００２６】
また、各項目の左側にある公開又は非公開のボタンを選択することで、各項目の情報を、第三者が閲覧可能な公開とするか、第三者が閲覧不可能な非公開とするかを選ぶことができる。
【００２７】
「登録」のボタンをクリックすると、ユーザにより選択された各項目の情報がサーバー２に送信される。サーバー２は受信した各項目の情報を記憶部２１に記憶させる。
【００２８】
＜図５の入力画面（第一入力画面）について＞
図５に例示する「患者さんの今日の活動」のページは、少なくとも、患者の休息量を測る指標、患者の社会性を測る指標、患者の活動量を測る指標、患者の定期的な食事量を測る指標、記患者の定期的な食事以外の食事量を測る指標及び患者の衛生活動の量を測る指標を看護者が入力するための入力画面の例である。この入力画面のことを、第一入力画面とも呼ぶ。
【００２９】
今日の日付である「１０月２９日」は端末１が有する内部の日時情報に基づいて自動的に選択される。なお、「前の日」をクリックすることにより、１０月２９日よりも前の日の患者の活動を記録するためのページにアクセスすることができる。
【００３０】
患者の休息量を測る指標の例である睡眠の項目では、「たっぷり」「ふつう」「不足」「不明」の何れかを選択をすることができる。
【００３１】
睡眠薬の項目では、「有」「無」のどちらかを選択することができる。
【００３２】
患者の社会性を測る指標の例である会話の項目では、「多い」「普通」「少ない」の何れかを選択することができる。
【００３３】
患者の活動量を測る指標の例である外出の項目では、「有」「無」のどちらかを選択することができる。また、時間・場所をテキスト入力することができる。
【００３４】
患者の定期的な食事量を測る指標の例である朝食の項目では、「多い」「普通」「少ない」「なし」の何れかを選択することができる。
【００３５】
患者の定期的な食事量を測る指標の例である昼食の項目では、「多い」「普通」「少ない」「なし」の何れかを選択することができる。
【００３６】
患者の定期的な食事量を測る指標の例である夕食の項目では、「多い」「普通」「少ない」「なし」の何れかを選択することができる。
【００３７】
患者の定期的な食事以外の食事量を測る指標の例である間食の項目では、「有」「無」のどちらかを選択することができる。
【００３８】
患者の定期的な食事以外の食事量を測る指標の例である夜食の項目では、「有」「無」のどちらかを選択することができる。
【００３９】
飲酒の項目では、「有」「無」のどちらかを選択することができる。
【００４０】
患者の衛生活動の量を測る指標の例である入浴の項目では、「有」「無」のどちらかを選択することができる。
【００４１】
「保存して次へ」のボタンをクリックすると、選択又は入力された各項目の情報がサーバー２に送信される。サーバー２は受信した各項目の情報を記憶部２１に記憶させる。
【００４２】
なお、「睡眠」以外の項目を患者の休息量を測る指標として用いてもよい。例えば、「横になった時間」等の項目を患者の休息量を測る指標として用いることができる。また、「会話」以外の項目を患者の社会性を測る指標として用いてもよい。また、「外出」以外の項目を患者の活動量を測る指標を用いてもよい。また、「朝食」「昼食」「夕食」以外の項目を患者の定期的な食事量を測る指標として用いてもよい。また、「間食」「夜食」以外の項目を患者の定期的な食事以外の食事量を測る指標として用いてもよい。さらに、「入浴」以外の項目を患者の衛生活動の量を測る指標として用いてもよい。
【００４３】
なお、図５にはないが、「天気」の項目等の他の項目を患者の今日の活動に関する項目について選択、入力、自動入力が可能であってもよい。例えば、「天気」の項目は、インターネットから取得された情報に基づいて自動的に入力されてもよい。また、図５の項目の少なくとも１個を省略してもよい。例えば「飲酒」の項目を省略してもよい。
【００４４】
不安になって寝られないことがあり、例えばうつ病の患者の中には睡眠薬を貰っている者もいる。このため、患者の休息量を測る指標の例である睡眠及び睡眠薬について記録することは有益である。
【００４５】
例えばうつ状態になると、社会性が低下し人と接するのが億劫になることがある。家族内でも会話量が減少する。このため、患者の社会性を測る指標の例である会話について記録することは有益である。
【００４６】
例えばうつ状態になると、活動量も低下するため外出できなくなることがある。このため、患者の活動量を測る指標の例である外出について記録することは有益である。
【００４７】
例えばうつ状態になると、ストレスが溜まったときににれを解消するために、食事量が極端に増えたり減ったりすることがある。このため、患者の定期的な食事量を測る指標の例である朝食・昼食・夕食について記録することは有益である。
【００４８】
疲れを感じると、甘いものが欲しくなり、間食や夜食が欲しくなることがある。このため、患者の定期的な食事以外の食事量を測る指標の例である間食・夜食について記録することは有益である。
【００４９】
ストレスが溜まると、飲酒によって気を紛らわす人が少なくない。また、例えばうつ病で処方される薬との副作用があり、飲酒は控えるように指導されているはずだが、飲酒してしまう患者は少なからずいる。このため、飲酒について記録することは有益である。
【００５０】
気分が滅入ってくると、入浴が面倒・億劫になり、入浴をしない日が続くようになる。このため、患者の衛生活動の量を測る指標の例である入浴について記録することは有益である。
【００５１】
気圧が低くなると、頭痛がして寝込んでしまう人が少なくない。このため、天気について記録することは有益である。
【００５２】
＜図６の入力画面について＞
図６の「お薬」のページは、患者の薬についての情報を入力するための入力画面の例である。図６では、各薬の名称をプルダウンメニューの中から選択することができる。また、各薬の量を選択することができる。
【００５３】
「追加」のボタンをクリックすると、薬の名称と量を選択するためのブロックを追加することができる。また、○の中に×があるボタンをクリックすると、薬の名称と量を選択するためのブロックを削除することができる。
【００５４】
これにより、治療の過程で種類や量が変化した場合には、いつでもその情報を修正することができる。また、風邪薬や睡眠薬を一時的に服用した場合にも、それらを記録できる。
【００５５】
「登録」のボタンをクリックすると、選択された各薬の名称と量の情報がサーバー２に送信される。サーバー２は受信した各薬の名称と量の情報を記憶部２１に記憶させる。
【００５６】
＜図７の入力画面について＞
図７の「Ｘ時間前の患者さんの気分及び出来事」のページは、患者の気分及び出来事を選択又は入力するための入力画面の例である。図７では、「Ｘ時間前の患者さんの気分及び出来事」の「Ｘ」はプルダウンメニューになっており、このプルダウンメニューの中から適切な数値を入力することができる。
【００５７】
また、図７では、患者の気分を１０段階で選択することができる。この例では、１０が「良い」であり、１が「悪い」である。
【００５８】
Ｎを正の整数として、患者の気分はＮ段階で選択可能であってもよい。また、患者の気分は、デジタル値ではなく、アナログ値で選択又は入力可能であってもよい。
【００５９】
さらに、図７では、出来事をテキスト入力することができる。公開又は非公開のボタンを選択することで、入力したテキストを第三者が閲覧可能な公開とするか、第三者が閲覧不可能な非公開とするかを選ぶことができる。
【００６０】
「保存」のボタンをクリックすると、選択された情報及び入力されたテキストがサーバー２に送信される。サーバー２は受信した選択された情報及び入力されたテキストを記憶部２１に記憶させる。
【００６１】
突発的な事象を記録することが看護者の振り返りのきっかけや思い込みを見直すきっかけになる。このため、例えば家族である看護者の振り返りを促進するために、図７の入力画面で、突発的な出来事を記入するセクションを提供し、うつ症状等の精神疾患に影響しそうな出来事を記録できるようにした。
【００６２】
＜図８の入力画面（第二入力画面）について＞
図８の「今日のできごと」のページは、少なくとも、一日の良かった出来事についての情報、上記一日の悪かった出来事についての情報及び今後に活かせることができる情報等の今日のできごとを記録するための入力画面の例である。この入力画面のことを、第二入力画面とも呼ぶ。
【００６３】
今日の日付である「１０月２９日」は端末が有する内部の日時情報に基づいて自動的に選択される。なお、「前の日」をクリックすることにより、１０月２９日よりも前の日の患者の今日のできごとを記録するためのページにアクセスすることができる。
【００６４】
「よかった出来事」のテキストボックスには、一日の良かった出来事についての情報を入力することができる。
【００６５】
「悪かった出来事」のテキストボックスには、一日の悪かった出来事についての情報を入力することができる。
【００６６】
「今後に活かせること」のテキストボックスには、今後に活かせることができる情報を入力することができる。
【００６７】
これらのテキストボックスにより、記録内容が負の出来事に偏ったり感情面の記述にならないようにすることができる。したがって、これら３つのテキストボックスに埋める内容を考えることによって、客観的で公平な振り返りを実現し、患者に対するよりよい接し方を考え出すヒントを得ることができる。
【００６８】
公開又は非公開のボタンを選択することで、入力したテキストを第三者が閲覧可能な公開とするか、第三者が閲覧不可能な非公開とするかを選ぶことができる。
【００６９】
「保存して次へ」のボタンをクリックすると、入力されたテキストがサーバー２に送信される。サーバー２は受信した入力されたテキストを記憶部２１に記憶させる。
【００７０】
「前に戻る」のボタンをクリックすると、図７のページにアクセスすることができる。
【００７１】
＜図９の入力画面（第三入力画面）について＞
図９の「自分のがんばり」のページは、看護者による患者の看護に対する取り組みを表す指標を看護者が入力するための入力画面の例である。この入力画面のことを、第三入力画面とも呼ぶ。
【００７２】
今日の日付である「１０月２９日」は端末が有する内部の日時情報に基づいて自動的に選択される。なお、「前の日」をクリックすることにより、１０月２９日よりも前の日の患者の今日のできごとを記録するためのページにアクセスすることができる。
【００７３】
図９では、看護者による患者の看護に対する取り組みを表す指標の例である自分のがんばりを１０段階で選択することができる。この例では、１０がとても頑張った状態を表す「ＭＡＸ」であり、１がその逆の状態を示す「ＭＩＮ」である。
【００７４】
Ｎを正の整数として、看護者による患者の看護に対する取り組みを表す指標はＮ段階で選択可能であってもよい。また、看護者による患者の看護に対する取り組みを表す指標は、デジタル値ではなく、アナログ値で選択又は入力可能であってもよい。
【００７５】
「保存して終了」のボタンをクリックすると、選択された情報がサーバー２に送信される。サーバー２は受信した選択された情報を記憶部２１に記憶させる。
【００７６】
「前に戻る」のボタンをクリックすると、図８のページにアクセスすることができる。
【００７７】
うつ病等の精神疾患では、周りの人も巻き込まれやすい。例えば、患者の症状（気分の急な落ち込み、怒りっぽい等）によって、例えば家族である看護者は多大なストレスを抱え込み、ひどい場合には、うつ病にかかってしまう。看護者による患者の看護に対する取り組みの例である「自分のがんばり」を記録することで、例えば家族である看護者が巻き込まれていないか、患者の気分の波との関連を把握して管理できるようになる。
【００７８】
＜図１０及び図１１の画面について＞
図１０の画面は、各期間における、患者の休息量を測る指標（例えば、睡眠）と、患者の社会性を測る指標（例えば、会話）と、患者の活動量を測る指標（例えば、外出）と、患者の定期的な食事量を測る指標（例えば、朝食、昼食、夕食）と、患者の定期的な食事以外の食事量を測る指標（例えば、間食、夜食）と、患者の衛生活動の量を測る指標（例えば、入浴）と、一日の良かった出来事についての情報と、一日の悪かった出来事についての情報と、今後に活かせることができる情報と、看護者による患者の看護に対する取り組みを表す指標とを表示する画面の例である。上記の指標及び情報の全てではなく、上記の指標及び情報の少なくとも１つが表示されてもよい。
【００７９】
ユーザである看護者が図１０のページにアクセスしようとすると、端末１が、サーバー２の記憶部２１から、各期間における、患者の休息量を測る指標、患者の社会性を測る指標、患者の活動量を測る指標、患者の定期的な食事量を測る指標、患者の定期的な食事以外の食事量を測る指標、患者の衛生活動の量を測る指標等の図１０で表示する情報を読み込み、端末１の表示装置１１がこれらの読み込んだ情報を表示する（ステップＳ３）。
【００８０】
図１０へのアクセスは、図３、図４、図６、図７、図８、図９の右上の「振り返り」のボタンをクリックすることにより例えば行うことができる。
【００８１】
図１０は、amyさんの「振り返り」を表示している。他のユーザの「振り返り」を表示したい場合には、図１０の上部のプルダウンメニューから所望のユーザを選択し、表示のボタンをクリックすることにより行うことができる。なお、非公開を選択した項目は、他のユーザから見ることができないようになっている。
【００８２】
図１０では、上記の指標以外にも、「マーク」「（期間を表す）日付」「天気」「患者さんの気分／自分のがんばり」「飲酒」「薬」の項目についての表示がされている。このように、上記の指標以外の項目についての表示がされていてもよい。
【００８３】
図１０では、「天気」「食事」「睡眠」「会話」「外出」「入浴」「飲酒」「薬」の項目についてチェックボックスが設けられており、チェックボックスで選択した項目のみが表示される。このように、ユーザが選択した項目のみが表示されるようにしてもよい。
【００８４】
図１０の「マーク」の項目では、ユーザがマークの色を変えることができる。ユーザがマークの色を変えることで所望の日付に目印を付けることができ、看護記録可視化システム及び方法の利便性が向上する。例えば、病院に行った日や薬を飲み始めた日をマークすることで、その前後の状況を比較することができるようになり、看護記録可視化システム及び方法の利便性が向上する。
【００８５】
図１０の「患者さんの気分／自分のがんばり」の項目では、「患者さんの気分」を黒丸及び実線で、「自分のがんばり」を四角及び破線で示している。「患者さんの気分」は、図７の入力画面で選択された１０段階の患者の気分である。「自分のがんばり」は、図８の入力画面で選択された１０段階の看護者による患者の看護に対する取り組みである。図１０の例では、「患者さんの気分／自分のがんばり」の項目の中で、左に行くほど値が小さく、右に行くほど値が大きい。
【００８６】
図１０の「睡眠」の項目では、図５の入力画面で選択された「たっぷり」「ふつう」「不足」「不明」を表示している。△は「不足」、○は「ふつう」に対応している。図１０の「睡眠」の項目の中の右側の錠剤マークは、その日付の睡眠時に睡眠薬を飲んだことを表している。
【００８７】
なお、図１０において、カーソルを日付に合わせると、カーソルの形状が変化する。カーソルの形状が変化した状態でクリックすると、その日付における「よかった出来事」「悪かった出来事」「今後に活かせること」が図１１のように表示される。これらの「よかった出来事」「悪かった出来事」「今後に活かせること」は、図８の入力画面で入力されたものである。
【００８８】
なお、同様にして、カーソルを外出に合わせると、カーソルの形状が変化し、カーソルの形状が変化した状態でクリックすると、その日付における外出の時間・場所のテキストが表示されてもよい。外出の時間・場所のテキストは、図５の入力画面で入力されたものである。
【００８９】
例えば家族である看護者が、図１０及び図１１のチャートを見て振り返ることは、各指標間に見られる関連性、すなわち例えば出来事や天気等の外部状況、自分の頑張り及び患者の気分等の間の関連性をその日その日で俯瞰したり、日にちを追って時系列で俯瞰したりできるので、患者への接し方を考え出す手助けとなる。
【００９０】
このように、看護者（例えば、患者の家族）がツールを用いて患者の健康状態と看護記録を残すことによって、患者の健康状態の傾向・パターンを把握し、効果的な看護方法を見つけることができる。また、その記録過程で、家族とうつ病患者とのコミュニケーションを増やし、人間関係を改善する効果がある。
【００９１】
［プログラム及び記録媒体］
端末１又はサーバー２における各処理をコンピュータによって実現する場合、端末１又はサーバー２が有すべき機能の処理内容はプログラムによって記述される。そして、このプログラムをコンピュータで実行することにより、その各処理がコンピュータ上で実現される。
【００９２】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００９３】
また、各処理手段は、コンピュータ上で所定のプログラムを実行させることにより構成することにしてもよいし、これらの処理内容の少なくとも一部をハードウェア的に実現することとしてもよい。
【００９４】
［変形例］
上記説明した処理は、記載の順にしたがって時系列に実行されるのみならず、処理を実行する装置の処理能力あるいは必要に応じて並列的にあるいは個別に実行されてもよい。
【００９５】
例えば、一般に看護者の気分と患者の気分とには相関関係があるため、図７の「Ｘ時間前の患者さんの気分及び出来事」と図９の「看護者による患者の看護に対する取り組みを表す指標」との何れか一方のみを選択又は入力可能としてもよい。例えば、図９の「看護者による患者の看護に対する取り組みを表す指標」の入力画面を表示する場合には、図７の「Ｘ時間前の患者さんの気分及び出来事」の入力画面を省略してもよい。
【００９６】
その他、この発明の趣旨を逸脱しない範囲で適宜変更が可能であることはいうまでもない。
【符号の説明】
【００９７】
１      端末
１１    表示装置
１２    入力部
２      サーバー
２１    記憶部
【図１】
0006502276.tif 000002
【図２】
0006502276.tif 000003
【図３】
0006502276.tif 000004
【図４】
0006502276.tif 000005
【図５】
0006502276.tif 000006
【図６】
0006502276.tif 000007
【図７】
0006502276.tif 000008
【図８】
0006502276.tif 000009
【図９】
0006502276.tif 000010
【図１０】
0006502276.tif 000011
【図１１】
0006502276.tif 000012